(57)【特許請求の範囲】
【請求項１】
バッテリーポストに締結されるポスト締結部と、
前記ポスト締結部に接続され、接続相手部材が接続される軸部の一端に基部が設けられた接続部材を保持する接続部材保持部とを備え、
前記接続部材保持部は、前記軸部が貫通する貫通孔が形成され前記軸部に締結される締結部材と前記基部との間に前記接続相手部材と共に挟持される上板と、前記上板と対向し前記上板との間に前記基部を保持すると共に、前記基部と当接し前記接続部材の前記軸部周りの回転を規制する回転規制部が設けられた下板とを有し、
前記回転規制部は、前記基部と面接触し、前記下板と一体で形成される回転規制本体部と前記基部との間に充填される充填物を含んで構成されることを特徴とする、
バッテリー端子。
【請求項２】
前記回転規制部は、前記基部との隙間を詰めるガタ詰め部を含んで構成される、
請求項１に記載のバッテリー端子。
【請求項３】
前記回転規制部は、前記基部に押圧されて変形する変形当接片を含んで構成される、
請求項１又は請求項２に記載のバッテリー端子。
【請求項４】
前記接続部材保持部は、前記基部を前記回転規制部側に押圧する押圧部を有する、
請求項１乃至請求項３のいずれか１項に記載のバッテリー端子。
【請求項５】
バッテリーポストに締結されるポスト締結部と、
前記ポスト締結部に接続され、接続相手部材が接続される軸部の一端に基部が設けられた接続部材を保持する接続部材保持部とを備え、
前記接続部材保持部は、前記軸部が貫通する貫通孔が形成され前記軸部に締結される締結部材と前記基部との間に前記接続相手部材と共に挟持される上板と、前記上板と対向し前記上板との間に前記基部を保持すると共に、前記基部と当接し前記接続部材の前記軸部周りの回転を規制する回転規制部が設けられた下板とを有し、
前記回転規制部は、前記基部と面接触し、
前記接続部材保持部は、前記基部を前記回転規制部側に押圧する押圧部を有する、
バッテリー端子。
【請求項６】
前記押圧部は、前記基部を前記回転規制部側に付勢する弾性部を含んで構成される、
請求項４又は請求項５に記載のバッテリー端子。
【請求項７】
前記押圧部は、前記接続部材保持部において前記基部を保持する部分であって前記基部を挟んで前記回転規制部と対向する部分から前記基部側に突出する突起部を含んで構成される、
請求項４乃至請求項６のいずれか１項に記載のバッテリー端子。
【発明の詳細な説明】
【技術分野】
【０００１】
本発明は、バッテリー端子に関する。
【背景技術】
【０００２】
従来のバッテリー端子として、例えば、特許文献１には、バッテリー本体に立設されたバッテリーポストに外嵌されて接続されるポスト抱持部、ポスト抱持部とは別体に形成されて電線が接続される電線接続部、及び、電線接続部をポスト抱持部に対して回動可能に連結する回動連結部を含んで構成されるターミナル本体を備えるバッテリーターミナルが開示されている。このバッテリーターミナルは、一部が電線接続部に当接し他の部分がバッテリー本体に当接するようにターミナル本体に取り付けられることで電線接続部のポスト抱持部に対する回動を規制する回動規制部材を備える。
【先行技術文献】
【特許文献】
【０００３】
【特許文献１】特開２０１１−１３４５１９号公報
【発明の概要】
【発明が解決しようとする課題】
【０００４】
ところで、上述の特許文献１に記載のバッテリーターミナルは、例えば、バッテリーポストに対して当該バッテリーポストを支点として片持ち梁状に設けられることで、車両等に搭載され車両振動が発生した際にバッテリーポストの軸方向に沿って曲げの変形が繰り返し発生するおそれがあり、この点で更なる改善の余地がある。
【０００５】
本発明は、上記の事情に鑑みてなされたものであって、バッテリーポストの軸方向に沿った変形を抑制することができるバッテリー端子を提供することを目的とする。
【課題を解決するための手段】
【０００６】
上記目的を達成するために、本発明に係るバッテリー端子は、バッテリーポストに締結されるポスト締結部と、前記ポスト締結部に接続され、接続相手部材が接続される軸部の一端に基部が設けられた接続部材を保持する接続部材保持部とを備え、前記接続部材保持部は、前記軸部が貫通する貫通孔が形成され前記軸部に締結される締結部材と前記基部との間に前記接続相手部材と共に挟持される上板と、前記上板と対向し前記上板との間に前記基部を保持すると共に、前記基部と当接し前記接続部材の前記軸部周りの回転を規制する回転規制部が設けられた下板とを有し、前記回転規制部は、前記基部と面接触することを特徴とする。
【０００７】
また、上記バッテリー端子では、前記回転規制部は、前記基部との隙間を詰めるガタ詰め部を含んで構成されるものとすることができる。
【０００８】
また、上記バッテリー端子では、前記回転規制部は、前記基部に押圧されて変形する変形当接片を含んで構成されるものとすることができる。
【０００９】
また、上記バッテリー端子では、前記回転規制部は、前記下板と一体で形成される回転規制本体部と前記基部との間に充填される充填物を含んで構成されるものとすることができる。
【００１０】
また、上記バッテリー端子では、前記接続部材保持部は、前記基部を前記回転規制部側に押圧する押圧部を有するものとすることができる。
【００１１】
また、上記バッテリー端子では、前記押圧部は、前記基部を前記回転規制部側に付勢する弾性部を含んで構成されるものとすることができる。
【００１２】
また、上記バッテリー端子では、前記押圧部は、前記接続部材保持部において前記基部を保持する部分であって前記基部を挟んで前記回転規制部と対向する部分から前記基部を側に突出する突起部を含んで構成されるものとすることができる。
【発明の効果】
【００１３】
本発明に係るバッテリー端子は、ポスト締結部がバッテリーポストに締結されると共に、接続部材保持部が上板と下板との間に接続部材の基部を保持する。そして、バッテリー端子は、接続部材の軸部に締結される締結部材と基部との間に接続相手部材と共に上板が挟持されると共に、下板に設けられ基部と当接して接続部材の回転を規制する回転規制部が当該基部と面接触することから、上板と下板と接続部材とを相互にリジットに固定することができる。この結果、バッテリー端子は、上板と下板と接続部材とを相互に確実に固定し一体化することができ、接続部材保持部におけるバッテリーポストの軸方向に沿った剛性を向上することができるので、当該バッテリーポストの軸方向に沿った変形を抑制することができる、という効果を奏する。
【図面の簡単な説明】
【００１４】
【図１】図１は、実施形態１に係るバッテリー端子の概略構成を表す分解斜視図である。
【図２】図２は、実施形態１に係るバッテリー端子の概略構成を表す斜視図である。
【図３】図３は、実施形態１に係るバッテリー端子の概略構成を表す側面図である。
【図４】図４は、実施形態１に係るバッテリー端子の概略構成を表す背面図である。
【図５】図５は、図４に示すＡ−Ａ部分断面図である。
【図６】図６は、実施形態２に係るバッテリー端子の概略構成を表す部分断面図である。
【図７】図７は、実施形態３に係るバッテリー端子の概略構成を表す模式的な断面図である。
【図８】図８は、変形例に係るバッテリー端子の概略構成を表す模式的な断面図である。
【図９】図９は、実施形態４に係るバッテリー端子の概略構成を表す背面図である。
【図１０】図１０は、図９に示すＢ−Ｂ部分断面図である。
【発明を実施するための形態】
【００１５】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１６】
［実施形態１］
図１は、実施形態１に係るバッテリー端子の概略構成を表す分解斜視図である。図２は、実施形態１に係るバッテリー端子の概略構成を表す斜視図である。図３は、実施形態１に係るバッテリー端子の概略構成を表す側面図である。図４は、実施形態１に係るバッテリー端子の概略構成を表す背面図である。図５は、図４に示すＡ−Ａ部分断面図である。
【００１７】
図１〜図５に示す本実施形態に係るバッテリー端子１は、バッテリー５０のバッテリーポスト５１に組み付けられるものである。バッテリー端子１は、バッテリーポスト５１に取り付けられることにより、バッテリー５０と、このバッテリー５０が搭載される車両等の本体側の電線の末端に設けられた接続相手部材としての接続端子５２等とを電気的に接続するための部品である。バッテリー５０は、車両等に蓄電装置として搭載されるものである。バッテリー５０は、バッテリー液や当該バッテリー５０を構成する種々の部品を収容するバッテリー筐体５３の１つの面、典型的には、バッテリー５０を車両に搭載した状態で鉛直方向上側に位置する面にバッテリーポスト５１が立設される。バッテリーポスト５１は、バッテリー筐体５３の鉛直方向上側の面から鉛直方向上側に向けて突出する。バッテリーポスト５１は、円柱状、より詳細には、先端側に進むにつれて径が小さくなるようテーパが付けられた円柱状（あるいは、円筒状）に形成される。つまり、バッテリーポスト５１は、先端の外径が基端の外径より小さいテーパ形状となる。バッテリーポスト５１は、中心軸線Ｘが鉛直方向に沿うように配置される。バッテリー端子１は、このように構成されるバッテリーポスト５１に締結される。
【００１８】
なお、以下の説明では、バッテリーポスト５１の中心軸線Ｘに沿った方向を軸方向という。またここでは、以下の説明を分かり易くするために、便宜的に当該軸方向と直交する２方向のうち一方を長辺方向（第１の幅方向）、他方を短辺方向（第２の幅方向）という。これら軸方向、長辺方向、及び、短辺方向は互いに直交する。
【００１９】
具体的には、バッテリー端子１は、接続部材としてのスタッドボルト１０と、本体部２０と、締付部３０とを備える。
【００２０】
スタッドボルト１０は、接続端子５２が接続される軸部１０ａと、軸部１０ａの一端に設けられた基部としてのボルト頭部１０ｂ（特に図４、図５等参照）とを含んで構成される。軸部１０ａは、円柱状に形成されると共に外周面に螺合溝が形成されている。ボルト頭部１０ｂは、軸部１０ａが立設される台座部分である。ボルト頭部１０ｂは、軸部１０ａより大径の部分として形成され、ここでは、略六角形状に形成される。
【００２１】
本体部２０は、バッテリーポスト５１に締結されるポスト締結部２１と、ポスト締結部２１に接続されスタッドボルト１０を保持する接続部材保持部としてのボルト保持部２２とを備える。本体部２０は、例えば、導電性を有する金属板のプレス折り曲げ加工等により、ポスト締結部２１を構成する一対の環状部２０ａ、２０ｂ、ボルト保持部２２を構成する一対の保持板状部２０ｃ、２０ｄ、及び、屈曲連結部２０ｅが一体で形成される。
【００２２】
一対の環状部２０ａ、２０ｂは、略矩形環状に形成され、それぞれバッテリーポスト５１が挿入される略円形状のポスト挿入孔２０ｆ、２０ｇ、及び、ポスト挿入孔２０ｆ、２０ｇと連続するスリット（間隙）２０ｈ、２０ｉが形成される。
【００２３】
一対の保持板状部２０ｃ、２０ｄは、略矩形状に形成され、保持板状部２０ｃ側にスタッドボルト１０の軸部１０ａが挿入される略円形状のボルト挿入孔２０ｊが形成される。保持板状部２０ｃは、環状部２０ａと連続するように一体で形成され、保持板状部２０ｄは、環状部２０ｂと連続するように一体で形成される。
【００２４】
そして、環状部２０ａと環状部２０ｂとは、それぞれ保持板状部２０ｃ、２０ｄが設けられている端部とは反対側の端部同士が屈曲連結部２０ｅを介して連続するように一体で形成される。これにより、本体部２０は、屈曲連結部２０ｅを挟んで、Ｕターン状に折り返された状態に形成され、環状部２０ａ、保持板状部２０ｃと環状部２０ｂ、保持板状部２０ｄとが軸方向に対向しそれぞれ上下に略平行に板状に積層された状態となるように形成される。
【００２５】
なお、ここで、上下に積層された状態とは、典型的には、バッテリー端子１がバッテリーポスト５１に組み付けられた状態で、バッテリーポスト５１の軸方向に沿って積層されるような状態に相当する。また、積層方向は、典型的には、バッテリー端子１がバッテリーポスト５１に組み付けられた状態で、軸方向に沿った方向であり、ここではスタッドボルト１０の軸部１０ａが突出する側を積層方向上側、反対側を積層方向下側とする。また、積層方向上側とは、バッテリーポスト５１の先端側に相当し、積層方向下側とは、バッテリーポスト５１の基端側に相当する。ここでは、本体部２０は、環状部２０ａ、保持板状部２０ｃが積層方向上側、環状部２０ｂ、保持板状部２０ｄが積層方向下側となる。
【００２６】
一対の環状部２０ａ、２０ｂは、屈曲連結部２０ｅを介して上下に積層された状態でポスト挿入孔２０ｆとポスト挿入孔２０ｇとが積層方向に対向する位置関係となるように当該ポスト挿入孔２０ｆ、ポスト挿入孔２０ｇが形成される。ポスト挿入孔２０ｆ、ポスト挿入孔２０ｇは、板金が同一の方向、ここでは下側に折り返されることでそれぞれ内周壁面が形成される。ポスト挿入孔２０ｆ、ポスト挿入孔２０ｇは、それぞれの内周壁面に上述したバッテリーポスト５１のテーパに対応したテーパを有している。ここでは、ポスト挿入孔２０ｆとポスト挿入孔２０ｇとのうちスタッドボルト１０の軸部１０ａが突出する側、すなわち、ポスト挿入孔２０ｆ側の内径が最小となり、反対側のポスト挿入孔２０ｇ側の内径が最大となる。ポスト挿入孔２０ｆ、ポスト挿入孔２０ｇは、バッテリーポスト５１が挿入された状態で、各内周面がバッテリーポスト５１と接触する。また、一対の環状部２０ａ、２０ｂは、屈曲連結部２０ｅと一対の保持板状部２０ｃ、２０ｄとの間の縁部が互いに向けて折り返されており、凹凸上に形成された互いの折り返し部２０ｋ、２０ｌが相互に係合する。
【００２７】
また、一対の環状部２０ａ、２０ｂは、屈曲連結部２０ｅを介して上下に積層された状態でスリット２０ｈとスリット２０ｉとが積層方向に対向する位置関係となるように当該スリット２０ｈ、スリット２０ｉが形成される。スリット２０ｈ、スリット２０ｉは、屈曲連結部２０ｅにて連続しており、全体として屈曲連結部２０ｅ及び環状部２０ａ、２０ｂにおいて、当該屈曲連結部２０ｅからポスト挿入孔２０ｆ、ポスト挿入孔２０ｇまで延在している。言い換えれば、スリット２０ｈ、２０ｉは、ポスト挿入孔２０ｆ、２０ｇから環状部２０ａ、２０ｂの一部を分断するようにして屈曲連結部２０ｅまで延在して形成される。さらに、一対の環状部２０ａ、２０ｂは、それぞれポスト挿入孔２０ｆ、２０ｇから屈曲連結部２０ｅまでの間の部分が後述の締付部３０によって締め付けられる締付端部２０ｍを構成する。スリット２０ｈ、２０ｉは、この締付端部２０ｍを長辺方向に沿ってポスト挿入孔２０ｆ、２０ｇから屈曲連結部２０ｅまで貫通する。締付端部２０ｍは、短辺方向の両端部に、それぞれ締付部３０の一部が嵌合する略矩形状の切り欠き部２０ｎ、２０ｏが形成されている。
【００２８】
一対の保持板状部２０ｃ、２０ｄは、折り曲げ加工の前に事前にボルト挿入孔２０ｊにスタッドボルト１０の軸部１０ａが挿入された状態で折り曲げ加工されることで、屈曲連結部２０ｅを介して上下に積層された状態で当該スタッドボルト１０を保持する。ここでは、保持板状部２０ｃは、スタッドボルト１０の軸部１０ａが貫通する貫通孔としてのボルト挿入孔２０ｊが形成された上板を構成し、保持板状部２０ｄは、上板である保持板状部２０ｃと積層方向（軸方向）に対向し保持板状部２０ｄとの間にスタッドボルト１０のボルト頭部１０ｂを保持する下板を構成する。つまり、一対の保持板状部２０ｃ、及び、保持板状部２０ｄは、互いに対向して積層され互いの間にボルト頭部１０ｂを保持する。より詳細には、保持板状部２０ｃ、保持板状部２０ｄとは、互いに向けて折り返された折り返し部２０ｐ、２０ｑを有する。折り返し部２０ｐは、保持板状部２０ｃにおいて短辺方向両側の端部が保持板状部２０ｄ側に折り返された部分であり、折り返し部２０ｑは、保持板状部２０ｄにおいて、短辺方向両側の端部の一部、及び、長辺方向の先端部（環状部２０ｂ側とは反対側の端部）が保持板状部２０ｃ側に折り返された部分である（特に図４、図５等参照）。各折り返し部２０ｑは、略六角形状に形成されるボルト頭部１０ｂの三辺の端面を囲うように折り返されて形成される。各折り返し部２０ｐは、短辺方向に対して各折り返し部２０ｑの外側に位置する。そして、保持板状部２０ｃは、各折り返し部２０ｐの先端部の一部から爪部２０ｒが突出すると共に当該爪部２０ｒが保持板状部２０ｄの背面側（ボルト頭部１０ｂを保持する側とは反対側）に折り返されている（特に図４、図５等参照）。保持板状部２０ｃ、２０ｄによって構成されるボルト保持部２２は、ボルト挿入孔２０ｊにスタッドボルト１０の軸部１０ａが挿入された状態で折り返し部２０ｐ、２０ｑ、爪部２０ｒ等の各部が折り曲げ加工される。これにより、ボルト保持部２２は、保持板状部２０ｄの折り返し部２０ｑがボルト頭部１０ｂを保持板状部２０ｃとの間に保持すると共に、保持板状部２０ｃの折り返し部２０ｐの爪部２０ｒが保持板状部２０ｄの背面側に屈曲される。つまり、ボルト保持部２２は、一対の保持板状部２０ｃ、２０ｄの積層方向に対して当該保持板状部２０ｃと保持板状部２０ｄとの間にスタッドボルト１０のボルト頭部１０ｂを保持する。
【００２９】
スタッドボルト１０は、保持板状部２０ｃと保持板状部２０ｄとの間に保持された状態で、ボルト挿入孔２０ｊから軸部１０ａが軸方向に沿って突出するようにして露出している。スタッドボルト１０は、ボルト挿入孔２０ｊから露出した当該軸部１０ａに接続端子５２が電気的に接続される。スタッドボルト１０は、軸部１０ａに締結部材としてのナット５４が螺合することで軸部１０ａに接続端子５２を締結する。上述のボルト保持部２２において、上板を構成する保持板状部２０ｃは、スタッドボルト１０の軸部１０ａにナット５４が螺合することで、ナット５４とスタッドボルト１０のボルト頭部１０ｂとの間に接続端子５２と共に挟持される（特に図５等参照）。
【００３０】
締付部３０は、ポスト挿入孔２０ｆ、２０ｇ内にバッテリーポスト５１が挿入された状態で、一対の環状部２０ａ、２０ｂを当該バッテリーポスト５１に締結するものである。締付部３０は、ボルト３０ａと、ワッシャ３０ｂと、ナット３０ｃとを含んで構成される。ボルト３０ａは、スリット（間隙）２０ｈ、２０ｉを横断するような位置関係で屈曲連結部２０ｅの一端部から挿入される。つまり、ボルト３０ａは、屈曲連結部２０ｅを介して上下に積層された状態の一対の環状部２０ａ、２０ｂの間にスリット２０ｈ、２０ｉを横断するように形成される空間部に挿入される。さらに言えば、ボルト３０ａは、短辺方向に沿って環状部２０ａ、２０ｂの一端側からスリット２０ｈ、２０ｉを挟んで環状部２０ａ、２０ｂの他端側まで延在して配置される。ボルト３０ａは、ボルト頭部が略矩形板状に形成されており、本体部２０の締付端部２０ｍに形成された切り欠き部２０ｏと嵌合する。ワッシャ３０ｂは、略矩形板状に形成されており、本体部２０の締付端部２０ｍに形成された切り欠き部２０ｎと嵌合し、本体部２０とナット３０ｃとの間に介在する。ナット３０ｃは、屈曲連結部２０ｅの他端部から露出するボルト３０ａの先端部分に螺合する。ここで、短辺方向は、環状部２０ａ、２０ｂに形成されたスリット２０ｈ、２０ｉを横断する方向に相当し、典型的には、環状部２０ａ、２０ｂをバッテリーポスト５１に締結する際に環状部２０ａ、２０ｂを締め付ける方向（締め付け方向）に相当する。
【００３１】
上記のように構成されるバッテリー端子１は、スタッドボルト１０の軸部１０ａが露出するような位置関係でポスト挿入孔２０ｆ、２０ｇにバッテリーポスト５１が挿入されることで、バッテリーポスト５１に組み付けられる。そして、バッテリー端子１は、ポスト挿入孔２０ｆ、２０ｇの内周面とバッテリーポスト５１の外周面とが接触した状態で締付部３０のボルト３０ａ及びナット３０ｃが締め付けられることで、締付端部２０ｍにおいて、スリット２０ｈ、２０ｉを挟んで屈曲連結部２０ｅ及び環状部２０ａ、２０ｂの両側が接近方向に締め付けられる。これにより、バッテリー端子１は、ポスト挿入孔２０ｆ、２０ｇの内周面とバッテリーポスト５１の外周面とが接触した状態でポスト挿入孔２０ｆ、２０ｇの径が縮小されることで、締付部３０の締付力によってバッテリーポスト５１に締結される。そして、バッテリー端子１は、スタッドボルト１０の軸部１０ａに接続端子５２が電気的に接続され、ナット５４によって固定される。一方、バッテリー端子１は、締付部３０のボルト３０ａ及びナット３０ｃを緩めれば、スリット２０ｈ、２０ｉを挟んで屈曲連結部２０ｅ及び環状部２０ａ、２０ｂの両側が離間方向に緩められる。これにより、バッテリー端子１は、ポスト挿入孔２０ｆ、２０ｇの径が拡大されることで、バッテリーポスト５１から取り外し可能な状態となる。
【００３２】
ところで、本実施形態のバッテリー端子１は、図３に示すように、バッテリーポスト５１に対して当該バッテリーポスト５１を支点として片持ち梁状に設けられることで、車両等に搭載され車両振動が発生した際にバッテリーポスト５１の軸方向に沿って曲げの変形が繰り返し発生するおそれがある。
【００３３】
そこで、本実施形態のバッテリー端子１は、図４、図５に示すように、ボルト保持部２２において下板を構成する保持板状部２０ｄに設けられ、ナット５４の螺合の際にスタッドボルト１０の回転を規制する回転規制部２０ｓをボルト頭部１０ｂと面接触させるように構成することで、バッテリーポスト５１の軸方向に沿った変形を抑制している。
【００３４】
具体的には、回転規制部２０ｓは、ナット５４の螺合の際にスタッドボルト１０のボルト頭部１０ｂと当接し当該スタッドボルト１０の軸部１０ａ周りの回転を規制するものである。本実施形態の回転規制部２０ｓは、保持板状部２０ｄの一部を切り欠いて切り欠き２０ｔを形成すると共に切り欠いた部分を保持板状部２０ｃ側に折り返すことで形成される折り返し片２０ｕを含んで構成される。切り欠き２０ｔは、保持板状部２０ｄの環状部２０ｂ側の端部に形成され、折り返し片２０ｕは、保持板状部２０ｃ側でかつ環状部２０ｂ側に折り返されることで形成される。折り返し片２０ｕは、折り返し稜線が短辺方向に沿うようにして形成される。折り返し片２０ｕは、ボルト頭部１０ｂと対向するボルト頭部１０ｂ側の面が当接面２０ｖを構成する。一方、ボルト頭部１０ｂは、略六角形状のうちの一辺の端面が折り返し片２０ｕとの当接面１０ｃを構成する。回転規制部２０ｓは、ナット５４をスタッドボルト１０の軸部１０ａに螺合させる際に、折り返し片２０ｕの当接面２０ｖがボルト頭部１０ｂの当接面１０ｃと当接することで当該スタッドボルト１０の軸部１０ａ周りの回転を規制することができる。
【００３５】
そして、回転規制部２０ｓは、折り返し片２０ｕの当接面２０ｖとボルト頭部１０ｂの当接面１０ｃとが面接触するように構成される。本実施形態の回転規制部２０ｓは、折り返し片２０ｕがボルト頭部１０ｂに押圧されて変形する変形当接片として形成されることで、折り返し片２０ｕの当接面２０ｖがボルト頭部１０ｂの当接面１０ｃと面接触するように形成される。ここでは、バッテリー端子１は、回転規制部２０ｓを含む本体部２０が相対的に軟質な材料で形成され、ボルト頭部１０ｂを含むスタッドボルト１０が相対的に硬質な材料で形成される。すなわち、回転規制部２０ｓを構成する折り返し片２０ｕは、ボルト頭部１０ｂを含むスタッドボルト１０より軟質な材料によって形成される。
【００３６】
そして、折り返し片２０ｕは、例えば、図５に点線で示すように、予め保持板状部２０ｃ側でかつ環状部２０ｂ側に若干折り返した状態で、軸部１０ａをボルト挿入孔２０ｊに挿入するようにしてスタッドボルト１０が組み付けられる際に、ボルト頭部１０ｂの端面が折り返し片２０ｕを保持板状部２０ｃ側でかつ環状部２０ｂ側にさらに押圧し当接面１０ｃが当接面２０ｖに密着する方向に押圧されながら保持板状部２０ｃ側でかつ環状部２０ｂ側に変形する。これにより、折り返し片２０ｕは、当接面２０ｖと当接面１０ｃとが密着するように変形し当接面２０ｖと当接面１０ｃとの接触面積を相対的に広くすることができ、これにより、面接触状態が形成される。またさらに、折り返し片２０ｕは、例えば、図４に点線で示すように、ナット５４をスタッドボルト１０の軸部１０ａに螺合させる際に、当接面２０ｖと当接面１０ｃとが当接した状態でボルト頭部１０ｂが回転しながら当該折り返し片２０ｕを押圧することで、ボルト頭部１０ｂの回転方向に沿って変形する。これにより、折り返し片２０ｕは、当接面２０ｖと当接面１０ｃとの隙間がより密着するように変形し、当接面２０ｖと当接面１０ｃとがより確実に面接触する。つまり、回転規制部２０ｓは、変形当接片として形成される折り返し片２０ｕがこのように変形することで、当該折り返し片２０ｕが当接面２０ｖと当接面１０ｃとの隙間を詰めるガタ詰め部としても機能する。
【００３７】
以上で説明したバッテリー端子１によれば、バッテリーポスト５１に締結されるポスト締結部２１と、ポスト締結部２１に接続され、接続端子５２が接続される軸部１０ａの一端にボルト頭部１０ｂが設けられたスタッドボルト１０を保持するボルト保持部２２とを備え、ボルト保持部２２は、軸部１０ａが貫通するボルト挿入孔２０ｊが形成され軸部１０ａに締結されるナット５４とボルト頭部１０ｂとの間に接続端子５２と共に挟持される保持板状部２０ｃと、保持板状部２０ｃと対向し保持板状部２０ｃとの間にボルト頭部１０ｂを保持すると共に、ボルト頭部１０ｂと当接しスタッドボルト１０の軸部１０ａ周りの回転を規制する回転規制部２０ｓが設けられた保持板状部２０ｄとを有し、回転規制部２０ｓは、ボルト頭部１０ｂと面接触する。
【００３８】
したがって、バッテリー端子１は、ポスト締結部２１がバッテリーポスト５１に締結されると共に、ボルト保持部２２が保持板状部２０ｃと保持板状部２０ｄとの間にスタッドボルト１０のボルト頭部１０ｂを保持する。そして、バッテリー端子１は、スタッドボルト１０の軸部１０ａに締結されるナット５４とボルト頭部１０ｂとの間に接続端子５２と共に保持板状部２０ｃが挟持されることで、ボルト頭部１０ｂの保持板状部２０ｃ側の面が当該保持板状部２０ｃのボルト頭部１０ｂの面に押し付けられ、相互に当接する面に発生する摩擦力（言い換えれば、ナット５４の締結力によって発生する摩擦力）によりスタッドボルト１０と保持板状部２０ｃとがリジットに固定され一体化される。そしてさらに、バッテリー端子１は、保持板状部２０ｄに設けられボルト頭部１０ｂと当接してスタッドボルト１０の回転を規制する回転規制部２０ｓが当該ボルト頭部１０ｂと面接触することから、保持板状部２０ｄとスタッドボルト１０とがリジットに固定され一体化される。これにより、バッテリー端子１は、保持板状部２０ｃと保持板状部２０ｄとスタッドボルト１０との３つの要素を相互にリジットに固定することができる。この結果、バッテリー端子１は、保持板状部２０ｃと保持板状部２０ｄとスタッドボルト１０とを相互に確実に固定し一体化することができ、ボルト保持部２２におけるバッテリーポスト５１の軸方向に沿った剛性を向上することができるので、当該バッテリーポスト５１の軸方向に沿った変形を抑制することができる。これにより、バッテリー端子１は、車両等に搭載され車両振動が発生した場合であってもバッテリーポスト５１の軸方向に沿った曲げ変形を抑制することができるので、車両振動時に発生するひずみを抑制することができ、耐振動性や耐久性を向上することができる。
【００３９】
さらに、以上で説明したバッテリー端子１によれば、回転規制部２０ｓは、ボルト頭部１０ｂに押圧されて変形するものであり、ボルト頭部１０ｂとの隙間を詰めるものである折り返し片２０ｕを含んで構成される。したがって、バッテリー端子１は、変形当接片として形成される折り返し片２０ｕがボルト頭部１０ｂに押圧されて変形することで、当該折り返し片２０ｕが回転規制部２０ｓとボルト頭部１０ｂとの隙間を詰めるガタ詰め部としても機能し、これにより、回転規制部２０ｓをボルト頭部１０ｂに確実に面接触させることができる。この結果、バッテリー端子１は、バッテリーポスト５１の軸方向に沿った変形をより確実に抑制することができる。
【００４０】
［実施形態２］
図６は、実施形態２に係るバッテリー端子の概略構成を表す部分断面図である。実施形態２に係るバッテリー端子は、回転規制部の構成が実施形態１とは異なる。その他、上述した実施形態と共通する構成、作用、効果については、重複した説明はできるだけ省略する。また、上述の実施形態と同様の構成について適宜上述した図面を参照する（以下同様。）。
【００４１】
図６に示す本実施形態に係るバッテリー端子２０１は、ボルト保持部２２において下板を構成する保持板状部２０ｄに設けられ、ナット５４の螺合の際にスタッドボルト１０の回転を規制する回転規制部２２０ｓをボルト頭部１０ｂと面接触させるように構成することで、バッテリーポスト５１の軸方向に沿った変形を抑制している。
【００４２】
具体的には、回転規制部２２０ｓは、ナット５４の螺合の際にスタッドボルト１０のボルト頭部１０ｂと当接し当該スタッドボルト１０の軸部１０ａ周りの回転を規制するものである。本実施形態の回転規制部２２０ｓは、保持板状部２０ｄの一部を切り欠いて切り欠き２０ｔを形成すると共に切り欠いた部分を保持板状部２０ｃ側に折り返すことで形成される回転規制本体部としての折り返し片２２０ｕと、保持板状部２０ｄと一体で形成される当該折り返し片２２０ｕとボルト頭部１０ｂとの間に充填される充填物２２０ｗとを含んで構成される。切り欠き２０ｔは、保持板状部２０ｄの環状部２０ｂ側の端部に形成され、折り返し片２２０ｕは、保持板状部２０ｃ側でかつ環状部２０ｂ側に折り返されることで形成される。折り返し片２２０ｕは、折り返し稜線が短辺方向に沿うようにして形成される。充填物２２０ｗは、折り返し片２２０ｕとボルト頭部１０ｂとの間に充填されるものであり、例えば、ロウ付け体や溶接体が用いられる。充填物２２０ｗは、ボルト頭部１０ｂ側の面がボルト頭部１０ｂと面接触する当接面２２０ｖを構成する。回転規制部２２０ｓは、充填物２２０ｗが当接面１０ｃとの隙間を詰めるガタ詰め部としても機能する。一方、ボルト頭部１０ｂは、略六角形状のうちの一辺の端面が充填物２２０ｗとの当接面１０ｃを構成する。
【００４３】
以上で説明したバッテリー端子２０１は、保持板状部２０ｃと保持板状部２０ｄとスタッドボルト１０とを相互に確実に固定し一体化することができ、ボルト保持部２２におけるバッテリーポスト５１の軸方向に沿った剛性を向上することができるので、当該バッテリーポスト５１の軸方向に沿った変形を抑制することができる。
【００４４】
さらに、以上で説明したバッテリー端子２０１によれば、回転規制部２２０ｓは、保持板状部２０ｄと一体で形成される折り返し片２２０ｕとボルト頭部１０ｂとの間に充填されるものであり、ボルト頭部１０ｂとの隙間を詰めるものである充填物２２０ｗを含んで構成される。したがって、バッテリー端子２０１は、充填物２２０ｗが折り返し片２２０ｕとボルト頭部１０ｂとの間に充填されることで、当該充填物２２０ｗが回転規制部２２０ｓとボルト頭部１０ｂとの隙間を詰めるガタ詰め部としても機能し、これにより、回転規制部２２０ｓをボルト頭部１０ｂに確実に面接触させることができる。この結果、バッテリー端子２０１は、バッテリーポスト５１の軸方向に沿った変形をより確実に抑制することができる。
【００４５】
［実施形態３］
図７は、実施形態３に係るバッテリー端子の概略構成を表す模式的な断面図である。図８は、変形例に係るバッテリー端子の概略構成を表す模式的な断面図である。実施形態３に係るバッテリー端子は、押圧部を有する点で実施形態１、２とは異なる。
【００４６】
図７に示す本実施形態に係るバッテリー端子３０１は、ボルト保持部２２が押圧部３４０を有する。押圧部３４０は、ボルト保持部２２が保持するスタッドボルト１０のボルト頭部１０ｂを回転規制部２０ｓ側に押圧するものである。押圧部３４０は、ボルト頭部１０ｂを回転規制部２０ｓ側に付勢する弾性部としての板バネ部３２０ｑを含んで構成される。板バネ部３２０ｑは、実施形態１のバッテリー端子１において、略六角形状に形成されるボルト頭部１０ｂの三辺の端面を囲うように折り返されて形成された折り返し部２０ｑ（図４等参照）のうちの短辺方向両側の２つにかえて設けられる。各板バネ部３２０ｑは、下板を構成する保持板状部２０ｄ（図４等参照）の一部において、短辺方向両側の端部の一部が保持板状部２０ｃ側に折り返された部分である。各板バネ部３２０ｑは、折り返し部２０ｑの短辺方向両側に隣り合うようにしてプレス折り曲げ加工等によって形成される。各板バネ部３２０ｑは、屈曲部を有した形状（いわゆる屏風型の形状）に形成されてもよいし、平板状に形成されてもよい。各板バネ部３２０ｑは、ボルト頭部１０ｂを挟んで回転規制部２０ｓを構成する折り返し片２０ｕと対向する位置に形成される。各板バネ部３２０ｑは、それぞれボルト頭部１０ｂの端面と当接し、当該ボルト頭部１０ｂを折り返し片２０ｕ側に付勢することでボルト頭部１０ｂを回転規制部２０ｓ側に押圧する。
【００４７】
以上で説明したバッテリー端子３０１は、保持板状部２０ｃと保持板状部２０ｄとスタッドボルト１０とを相互に確実に固定し一体化することができ、ボルト保持部２２におけるバッテリーポスト５１の軸方向に沿った剛性を向上することができるので、当該バッテリーポスト５１の軸方向に沿った変形を抑制することができる。
【００４８】
さらに、以上で説明したバッテリー端子３０１によれば、ボルト保持部２２は、ボルト頭部１０ｂを回転規制部２０ｓ側に押圧する押圧部３４０を有する。したがって、バッテリー端子３０１は、押圧部３４０がボルト頭部１０ｂを回転規制部２０ｓ側に押圧することで、回転規制部２０ｓとボルト頭部１０ｂとをより確実に面接触させることができる。この結果、バッテリー端子３０１は、保持板状部２０ｃと保持板状部２０ｄとスタッドボルト１０とを相互により確実に固定し一体化することができるので、当該バッテリーポスト５１の軸方向に沿った変形をより確実に抑制することができる。
【００４９】
さらに、以上で説明したバッテリー端子３０１によれば、押圧部３４０は、ボルト頭部１０ｂを回転規制部２０ｓ側に付勢する板バネ部３２０ｑを含んで構成される。したがって、バッテリー端子３０１は、板バネ部３２０ｑの付勢力によってボルト頭部１０ｂを回転規制部２０ｓ側に押圧し、回転規制部２０ｓの折り返し片２０ｕとボルト頭部１０ｂとを確実に面接触させることができる。
【００５０】
なお、バッテリー端子３０１は、変形当接片として形成される折り返し片２０ｕと組み合わせて押圧部３４０が設けられることで、回転規制部２０ｓとボルト頭部１０ｂとをより確実に面接触させる構造を実現してもよい。
【００５１】
また、バッテリー端子３０１は、回転規制部２０ｓを構成する折り返し片２０ｕを分割構造とし、当該分割構造の折り返し片２０ｕをボルト頭部１０ｂに面接触させてもよい。
【００５２】
図８に示す変形例に係るバッテリー端子３０１Ａは、回転規制部３２０ｓＡが２つの折り返し片３２０ｕＡを含んで構成される。２つの折り返し片３２０ｕＡは、上述の折り返し片２０ｕと同様に、保持板状部２０ｄ（図４等参照）の一部を切り欠いて切り欠き２０ｔ（図４等参照）を形成すると共に切り欠いた部分を保持板状部２０ｃ側に折り返すことで形成される。ここでは、各折り返し片３２０ｕＡは、折り返し稜線が短辺方向に対して互いに逆側に傾斜するようにして形成される。そして、２つの折り返し片３２０ｕＡは、それぞれ略六角形状に形成されるボルト頭部１０ｂの一辺の端面と面接触する。すなわちここでは、２つの折り返し片３２０ｕＡは、略ハの字型（鈍角部が形成されるような型）に配置され、それぞれボルト頭部１０ｂの端面のうちの隣り合う二辺の端面と面接触する。そして、バッテリー端子３０１Ａが有する押圧部３４０Ａは、ボルト頭部１０ｂを回転規制部３２０ｓＡ側に付勢する弾性部としての板バネ部３２０ｑＡを含んで構成される。板バネ部３２０ｑＡは、略六角形状に形成されるボルト頭部１０ｂの端面のうちの隣り合う二辺の端面と当接するように形成される。各板バネ部３２０ｑＡは、ボルト頭部１０ｂを挟んで回転規制部３２０ｓＡを構成する各折り返し片３２０ｕＡと対向する位置に形成される。各板バネ部３２０ｑＡは、それぞれボルト頭部１０ｂの端面と当接し、当該ボルト頭部１０ｂを折り返し片３２０ｕＡ側に付勢することでボルト頭部１０ｂを回転規制部３２０ｓＡ側に押圧する。これにより、バッテリー端子３０１は、２つの板バネ部３２０ｑＡの付勢力によってボルト頭部１０ｂを回転規制部３２０ｓＡ側に押圧することで、回転規制部３２０ｓＡを構成する分割構造の２つの折り返し片３２０ｕＡ、すなわち、略ハの字型（鈍角部が形成されるような型）に配置された２つの折り返し片３２０ｕＡに対してボルト頭部１０ｂをより安定的に押圧することができる。
【００５３】
［実施形態４］
図９は、実施形態４に係るバッテリー端子の概略構成を表す背面図である。図１０は、図９に示すＢ−Ｂ部分断面図である。実施形態４に係るバッテリー端子は、押圧部の構成が実施形態３とは異なる。
【００５４】
図９、図１０に示す本実施形態に係るバッテリー端子４０１は、ボルト保持部２２が押圧部４４０を有する。押圧部４４０は、ボルト保持部２２が保持するスタッドボルト１０のボルト頭部１０ｂを回転規制部２０ｓ側に押圧するものである。押圧部４４０は、ボルト保持部２２においてボルト頭部１０ｂを保持する部分であってボルト頭部１０ｂを挟んで回転規制部２０ｓと対向する部分、ここでは、各折り返し部２０ｑからボルト頭部１０ｂ側に突出する突起部４２０ｘを含んで構成される。各突起部４２０ｘは、各折り返し部２０ｑにおいてボルト頭部１０ｂの端面と対向する面から当該ボルト頭部１０ｂの端面側に突出して形成される。各突起部４２０ｘは、例えば、エンボスやビード等によって構成される。ここでは、各突起部４２０ｘは、軸方向に延在するものとして図示されているがこれに限らない。各突起部４２０ｘは、例えば、各折り返し部２０ｑが折り曲げ加工される際等に、それぞれボルト頭部１０ｂの端面と当接し、当該ボルト頭部１０ｂを折り返し片２０ｕ側に押圧し、すなわち、ボルト頭部１０ｂを回転規制部２０ｓ側に押圧する。
【００５５】
以上で説明したバッテリー端子４０１は、保持板状部２０ｃと保持板状部２０ｄとスタッドボルト１０とを相互に確実に固定し一体化することができ、ボルト保持部２２におけるバッテリーポスト５１の軸方向に沿った剛性を向上することができるので、当該バッテリーポスト５１の軸方向に沿った変形を抑制することができる。
【００５６】
さらに、以上で説明したバッテリー端子４０１は、押圧部４４０がボルト頭部１０ｂを回転規制部２０ｓ側に押圧することで、回転規制部２０ｓとボルト頭部１０ｂとをより確実に面接触させることができる。この結果、バッテリー端子４０１は、保持板状部２０ｃと保持板状部２０ｄとスタッドボルト１０とを相互により確実に固定し一体化することができるので、当該バッテリーポスト５１の軸方向に沿った変形をより確実に抑制することができる。
【００５７】
さらに、以上で説明したバッテリー端子４０１によれば、押圧部４４０は、ボルト保持部２２においてボルト頭部１０ｂを保持する部分であってボルト頭部１０ｂを挟んで回転規制部２０ｓと対向する部分からボルト頭部１１ｂ側に突出する突起部４２０ｘを含んで構成される。したがって、バッテリー端子４０１は、突起部４２０ｘによってボルト頭部１０ｂを回転規制部２０ｓ側に押圧し、回転規制部２０ｓの折り返し片２０ｕとボルト頭部１０ｂとを確実に面接触させることができる。
【００５８】
なお、上述した本発明の実施形態に係るバッテリー端子は、上述した実施形態に限定されず、特許請求の範囲に記載された範囲で種々の変更が可能である。本実施形態に係るバッテリー端子は、以上で説明した各実施形態の構成要素を適宜組み合わせることで構成してもよい。
【００５９】
以上で説明した基部としてのボルト頭部１０ｂは、略六角形状に形成されるものとして説明したがこれに限らず、例えば、略矩形状等でもよい。バッテリー端子１、２０１，３０１、３０１Ａ、４０１は、ボルト頭部１０ｂの形状にあわせて折り返し部２０ｐ、２０ｑ、爪部２０ｒ、回転規制部２０ｓ、２２０ｓ、３２０ｓＡ等を形成し、回転規制部２０ｓ、２２０ｓ、３２０ｓＡとボルト頭部１０ｂとが面接触するように構成されればよい。
【００６０】
以上の説明では、本体部２０は、導電性を有する金属板のプレス折り曲げ加工等により、一対の環状部２０ａ、２０ｂ、一対の保持板状部２０ｃ、２０ｄ、及び、屈曲連結部２０ｅが一体で形成されるものとして説明したがこれに限らない。本体部２０は、例えば、屈曲連結部２０ｅを備えず、軸方向に対して上側分割体（環状部２０ａ、保持板状部２０ｃ）と下側分割体（環状部２０ｂ、保持板状部２０ｄ）との２層分割構造とし、別体に構成される上側分割体と下側分割体とを一体化する構成を有するものであってもよい。
【００６１】
以上の説明では、切り欠き２０ｔは、保持板状部２０ｄの環状部２０ｂ側の端部に形成され、折り返し片２０ｕは、保持板状部２０ｃ側でかつ環状部２０ｂ側に折り返されることで形成され、折り返し稜線が短辺方向に沿うようにして形成されるものとして説明したがこれに限らない。
【００６２】
以上の説明では、締結部３０は、ボルト３０ａと、ワッシャ３０ｂと、ナット３０ｃとを含んで構成されるものとして説明したがこの形式に限らず、他の形式であってもよい。
【００６３】
以上で説明した折り返し片２０ｕは、ボルト頭部１０ｂを含むスタッドボルト１０より軟質な材料によって形成され、折り返し片２０ｕ側がボルト頭部１０ｂに押圧されて変形するものとして説明したが、これに限らず、スタッドボルト１０が折り返し片２０ｕより軟質な材料によって形成され、ボルト頭部１０ｂ側が変形する構成であってもよい。
【符号の説明】
【００６４】
１、２０１、３０１、３０１Ａ、４０１    バッテリー端子
１０    スタッドボルト（接続部材）
１０ａ    軸部
１０ｂ    ボルト頭部（基部）
２０ｃ    保持板状部（上板）
２０ｄ    保持板状部（下板）
２０ｊ    ボルト挿入孔（貫通孔）
２０ｓ、２２０ｓ、３２０ｓＡ    回転規制部
２０ｕ、３２０ｕＡ    折り返し片（変形当接片、ガタ詰め部）
２１    ポスト締結部
２２    ボルト保持部（接続部材保持部）
５１    バッテリーポスト
５２    接続端子（接続相手部材）
５４    ナット（締結部材）
２２０ｕ    折り返し片（回転規制本体部）
２２０ｗ    充填物（ガタ詰め部）
３２０ｑ、３２０ｑＡ    板バネ部（弾性部）
３４０、３４０Ａ、４４０    押圧部
４２０ｘ    突起部
【図１】
0006522375.tif 000002
【図２】
0006522375.tif 000003
【図３】
0006522375.tif 000004
【図４】
0006522375.tif 000005
【図５】
0006522375.tif 000006
【図６】
0006522375.tif 000007
【図７】
0006522375.tif 000008
【図８】
0006522375.tif 000009
【図９】
0006522375.tif 000010
【図１０】
0006522375.tif 000011